(57)【要約】【課題】ショックプルーフシステムを採用する光ディスク再生装置において、データの高速書き込みに起因してメモリ領域が満杯となり書き込みを一旦中断したときに、光ピックアップを戻し移動する動作においてノイズの混入を防止し、また、光ピックアップの移動機構の寿命を延長化する。【解決手段】光ピックアップ３で読み出したデータをメモリ１０へ書き込むデータ書き込み手段Ｅ１と、メモリフル判別手段Ｅ２と、メモリフル時にメモリへのデータ書き込みを停止する書き込み停止手段Ｅ３と、書き込み停止時に光ピックアップの戻し移動量を算出する戻し移動量算出手段Ｅ４と、戻し移動量だけ光ピックアップを戻し移動させる光ピックアップ戻し移動手段Ｅ５と、メモリ使用量が書き込み再開判定基準値を下回ったかを判定するメモリ使用量判定手段Ｅ６と、下回り判定時にデータ書き込み手段の動作を再開させる書き込み再開手段Ｅ７とを備える。【選択図】図１
2007200502.tif 000002
【特許請求の範囲】
【請求項１】
光ディスクから光ピックアップを介して読み出したデータをメモリへ書き込むデータ書き込み手段と、
前記メモリの書き込み状態を監視してメモリフルを判別するメモリフル判別手段と、
前記メモリフル判別手段がメモリフルと判別したときに前記データ書き込み手段による前記メモリへのデータ書き込みを一時的に停止する書き込み停止手段と、
前記書き込み停止手段がアクティブとなったときに前記光ピックアップの戻し移動量を算出する戻し移動量算出手段と、
前記戻し移動量算出手段が算出した前記戻し移動量だけ前記光ピックアップを戻し移動させる光ピックアップ戻し移動手段と、
前記メモリに対するデータの書き込み再開に向けて、メモリ使用量が所定の書き込み再開判定基準値を下回ったか否かを判定するメモリ使用量判定手段と、
前記メモリ使用量判定手段が下回り判定をしたときに前記データ書き込み手段の動作を再開させる書き込み再開手段とを備えた光ディスク再生装置。
【請求項２】
前記戻し移動量算出手段は、データ書き込み中断時間Ｔｓと、光ピックアップ戻し移動所要時間Ｔｍと、光ピックアップの移動速度Ｖとに基づいて、前記戻し移動量Ｄを、
Ｄ＝（Ｔｓ−Ｔｍ）×Ｖ
で算出する請求項１に記載の光ディスク再生装置。
【請求項３】
前記戻し移動量算出手段は、前記データ書き込み中断時間Ｔｓを、データ書き込み再開までに消費されるメモリ容量ΔＱと、データのビットレートＲB とに基づいて、
Ｔｓ＝ΔＱ／ＲB
で算出する請求項２に記載の光ディスク再生装置。
【請求項４】
前記光ピックアップ戻し移動手段は、前記光ピックアップ戻し移動所要時間Ｔｍが前記データ書き込み中断時間Ｔｓよりも長い場合は、前記光ピックアップの戻し移動を中止する請求項２に記載の光ディスク再生装置。
【請求項５】
前記光ピックアップ戻し移動手段は、前記光ピックアップの戻し移動先が最内周セッションのリードインよりも内周側になる場合は、前記光ピックアップの戻し移動先を最内周のリードインに設定する請求項１から請求項４までのいずれかに記載の光ディスク再生装置。
【請求項６】
前記メモリ使用量判定手段の動作中に、前記光ピックアップが最外周セッションのリードアウトに達した場合には、前記光ピックアップを最外周セッションのリードアウトにキープするように構成されている請求項１から請求項５までのいずれかに記載の光ディスク再生装置。
【発明の詳細な説明】
【技術分野】
【０００１】
本発明は光ディスク再生装置にかかわり、詳しくは、ＣＤ（Compact Disc）、ＤＶＤ（DigitalVideo Disc又はDigital Versatile Disc）等の光ディスクに記録されたデータを再生する技術に関する。特に、ＭＰ３（MPegaudio layer3）のようなオーディオ圧縮規格で圧縮されたデータを好適対象とする。
【背景技術】
【０００２】
近年、ＣＤ−ＤＡ（Compact Disc-Digital Audio）として記録されたディジタルオーディオデータの再生に加えて、ＣＤ、ＤＶＤ等の光ディスクに圧縮オーディオデータを記憶して再生する装置が普及し始めている。以下、従来の光ディスク再生技術について説明する。
【０００３】
図８は光ディスク再生装置の一般的な構成を示すブロック図である。光ディスク１からオーディオデータ等の情報を読み取るために、レーザが光ディスク１に照射される。光ディスク１で反射したレーザ光は、レンズ２を通して光ピックアップ（光ヘッド）３に到達する。光ピックアップ３は、レーザの反射光を電気信号に変換し、ヘッドアンプ４に出力する。ヘッドアンプ４は、電気信号を増幅することにより、エラー信号（ＲＦ信号、フォーカスエラー信号およびトラッキングエラー信号）を生成して、サーボ用ＬＳＩ５へ出力する。サーボ用ＬＳＩ５は、入力されたフォーカスエラー信号を基にフォーカスサーボ処理を行い、ドライバ７を介して制御信号を増幅し、レンズ２および光ピックアップ３の動作を制御する。さらにサーボ用ＬＳＩ５は、トラッキングエラー信号を基にトラッキングサーボ処理およびトラバースサーボ処理を行い、ドライバ７を介して制御信号を増幅し、光ピックアップ３の動作を制御し、トラッキング制御を行う。最後に、ヘッドアンプ４より得られたエラー信号（ＲＦ信号、フォーカスエラー信号およびトラッキングエラー信号）から同期信号を生成し、この同期信号に基づいてＣＬＶ（Constant Linear Velocity：線速度一定）サーボ処理を行い、ドライバ７を介してスピンドルモータ８の回転数の制御を行う。マイクロコントローラ１３は全体の制御を司る。
【０００４】
一方、ヘッドアンプ４より得られたＲＦ信号は信号処理回路６において、２値化された信号に復調される。そして、この２値化された信号をＤＦ−ＤＡＣ（Digital Filter-Digital Analog Converter）回路１１はＤＡ変換し、変換後のアナログ信号はアナログオーディオ信号となる。オーディオ出力部９は、このアナログオーディオ信号を出力する。
【０００５】
ここで、メモリ１０を備えることにより、オーディオデータ再生中の、光ディスク装置自体の振動等を原因とする音途切れを防止することができる。音途切れ防止について説明する。信号処理回路６において２値化された信号をＤＦ−ＤＡＣ回路１１がＤＡ変換する。そして、２値化された信号をメモリ１０に一時記憶しておく。次いで、ＤＦ−ＤＡＣ回路１１は、メモリ１０に一時記憶されている信号を読み出してＤＡ変換を行い、得られたアナログオーディオ信号をオーディオ出力部９から出力する。このようにメモリ１０を活用することにより、振動等で光ディスク１から情報を読み出すことができない事態が突発的に生じても、予めメモリ１０に記憶されている情報を読み出して出力しているため、音途切れを防止することができる。この仕組みをショックプルーフシステムと呼ぶ。
【０００６】
光ディスクには様々な規格のディスクが存在する。以下、規格の例としてＣＤ−ＤＡディスクとＣＤ−ＲＯＭディスクとを挙げて、それぞれの特徴について説明する。
【０００７】
光ディスク１がＣＤ−ＤＡディスクである場合、図６に示すように２バイトの１サンプルが左と右で交互に配置されて記録されている。オーディオデータは、１フレーム当たり２３５２バイトで構成されている。メモリ１０は、オーディオデータのみを格納する。そして、ＤＦ−ＤＡＣ回路１１は、メモリ１０に格納されたオーディオデータのＤＡ変換を行う。オーディオ出力部９は変換後のアナログオーディオ信号を出力する。
【０００８】
また、光ディスク１がＣＤ−ＲＯＭディスクである場合、図７に示すようにデータが記録されている。図７に示すＣＤ−ＲＯＭディスクは、ＳＹＮＣ（同期）部やヘッダ部を有しており、さらにＥＣＣ（誤り訂正コード）による強力な誤り訂正機能を有している。メモリ１０は、圧縮オーディオデータを格納する。デコーダ１２は圧縮オーディオデータをデコード（伸張）し、ＤＦ−ＤＡＣ回路１１はデコードされたデータに対してＤＡ変換を行う。オーディオ出力部９はＤＡ変換後のアナログオーディオ信号を出力する。
【０００９】
ショックプルーフシステムでは、光ディスク１から高速でデータを読み出してメモリ１０に書き込む。そのため、メモリ領域が満杯となってデータ書き込みのための空き領域がなくなり、書き込みを一旦中断しなければならない場合が発生する。この場合、データの書き込みが中断されている状態で放っておくと、光ピックアップ３は外周に向かってどんどん流れてしまう。
【００１０】
この対策として、光ディスク１の回転を停止させる方法がある。この場合は、メモリ１０へ格納されたオーディオデータが消費され、再度メモリ１０に空き領域が発生した場合に、光ディスク１の回転を再起動させる。しかし、再度、データを書き込むまでに時間がかかってしまう。メモリ１０の容量が小さい場合は、音途切れが発生する可能性もある。
【００１１】
また、光ディスク１の回転速度を調整することで、書き込みの中断が発生しないようにする方法もある。この回転速度を調整する方法は、ＣＤ−ＲＯＭに記録した圧縮オーディオデータを再生する場合には、使用することが困難である。圧縮オーディオデータは、ＣＤ−ＤＡとして記録されたデータと違い、圧縮されているため、メモリ１０に格納されたデータを消費する速度が遅いためである。
【００１２】
そこで、特許文献１では、外周に向かって流れていく光ピックアップ３を書き込み中断した位置に戻す作業を繰り返すという方法が提案されている。
【特許文献１】特開平５−３２５５０６号公報（第３−５頁、第１−７図）
【発明の開示】
【発明が解決しようとする課題】
【００１３】
しかし、書き込み中断位置に光ピックアップを戻す作業を繰り返す場合は、光ピックアップを移動させる際の動作音がノイズとしてアナログオーディオ信号に混入し出力されてしまうという副作用が発生する場合がある。また、光ピックアップを繰り返し移動させることから、光ピックアップの移動機構の寿命が短命化するおそれもある。
【００１４】
本発明は、このような事情に鑑みて創作したものであり、データの高速書き込みに起因してメモリ領域が満杯となり書き込みを一旦中断したときに、光ピックアップを戻し移動する動作において、ノイズの混入を防止し、また、光ピックアップの移動機構の寿命を延長化することを目的としている。
【課題を解決するための手段】
【００１５】
本発明による光ディスク再生装置は、
光ディスクから光ピックアップを介して読み出したデータをメモリへ書き込むデータ書き込み手段と、
前記メモリの書き込み状態を監視してメモリフルを判別するメモリフル判別手段と、
前記メモリフル判別手段がメモリフルと判別したときに前記データ書き込み手段による前記メモリへのデータ書き込みを一時的に停止する書き込み停止手段と、
前記書き込み停止手段がアクティブとなったときに前記光ピックアップの戻し移動量を算出する戻し移動量算出手段と、
前記戻し移動量算出手段が算出した前記戻し移動量だけ前記光ピックアップを戻し移動させる光ピックアップ戻し移動手段と、
前記メモリに対するデータの書き込み再開に向けて、メモリ使用量が所定の書き込み再開判定基準値を下回ったか否かを判定するメモリ使用量判定手段と、
前記メモリ使用量判定手段が下回り判定をしたときに前記データ書き込み手段の動作を再開させる書き込み再開手段とを備えたものである。
【００１６】
この構成において、メモリフル判別手段がデータの高速書き込みに起因するメモリフルを判別すると、書き込み停止手段はメモリに対するデータの書き込みを一旦停止する。そして、戻し移動量算出手段は光ピックアップについての最適な戻し移動量を算出し、光ピックアップ戻し移動手段は、前記の最適な戻し移動量だけ光ピックアップを戻し移動させる。データの書き込み停止中も、メモリからデータが読み出され、メモリ使用量は減少する。メモリ使用量はメモリ使用量判定手段によって監視され、書き込み再開判定基準値を下回ったときは、書き込み再開手段がデータ書き込み手段を再起動してメモリに対するデータの書き込みを再開する。この場合、光ピックアップの戻し移動は最適な戻し移動量に基づいた１回のみであり、従来技術の場合のように繰り返し移動ではないため、ノイズの混入を防止することができるとともに、光ピックアップの移動機構の寿命を延長化することが可能となる。
【００１７】
上記の構成において、前記戻し移動量算出手段は、データ書き込み中断時間Ｔｓと、光ピックアップ戻し移動所要時間Ｔｍと、光ピックアップの移動速度Ｖとに基づいて、前記戻し移動量Ｄを、
Ｄ＝（Ｔｓ−Ｔｍ）×Ｖ  ………………………………（１）
で算出するという態様がある。
【００１８】
また、前記戻し移動量算出手段は、前記データ書き込み中断時間Ｔｓを、データ書き込み再開までに消費されるメモリ容量ΔＱと、データのビットレートＲB とに基づいて、
Ｔｓ＝ΔＱ／ＲB   ………………………………………（２）
で算出するという態様がある。
【００１９】
まとめると、
Ｄ＝｛（ΔＱ／ＲB ）−Ｔｍ｝×Ｖ  …………………（３）
となる。
【００２０】
また、上記の構成において、前記光ピックアップ戻し移動手段は、前記光ピックアップ戻し移動所要時間Ｔｍが前記データ書き込み中断時間Ｔｓよりも長い場合は、前記光ピックアップの戻し移動を中止するという態様がある。
【００２１】
また、上記の構成において、前記光ピックアップ戻し移動手段は、前記光ピックアップの戻し移動先が最内周セッションのリードインよりも内周側になる場合は、前記光ピックアップの戻し移動先を最内周のリードインに設定するという態様がある。
【００２２】
また、上記の構成において、前記メモリ使用量判定手段の動作中に、前記光ピックアップが最外周セッションのリードアウトに達した場合には、前記光ピックアップを最外周セッションのリードアウトにキープするように構成されているという態様がある。
【発明の効果】
【００２３】
本発明によれば、光ピックアップの戻し移動は最適な戻し移動量に基づいた１回のみであり、光ピックアップの戻し移動を繰り返さないため、再生信号に対するノイズの混入を防止することができる。また、光ピックアップを戻し移動を繰り返さないため、光ピックアップの移動機構の寿命を延ばすこともできる。
【発明を実施するための最良の形態】
【００２４】
以下、本発明にかかわる光ディスク再生装置の実施の形態を図面に基づいて詳細に説明する。光ディスク再生装置の構成としては、従来と同様の一般的な構成を用いることができるため、図８を適宜参照して説明する。
【００２５】
図１は本発明の実施の形態における光ディスク再生装置の構成を示すブロック図である。図１において、Ｅ１は光ディスク１から光ピックアップ３を介して読み出したデータをメモリ１０へ書き込むデータ書き込み手段、Ｅ２はメモリ１０の書き込み状態を監視してメモリフルを判別するメモリフル判別手段、Ｅ３はメモリフル判別手段Ｅ２がメモリフルと判別したときにデータ書き込み手段Ｅ１によるメモリ１０へのデータ書き込みを停止する書き込み停止手段、Ｅ４は書き込み停止手段Ｅ３がアクティブとなったときに、光ピックアップ３の戻し移動量Ｄを算出する戻し移動量算出手段、Ｅ５は戻し移動量算出手段Ｅ４が算出した戻し移動量Ｄだけ光ピックアップ３を１回に限り戻し移動させる光ピックアップ戻し移動手段、Ｅ６はメモリ１０に対するデータの書き込み再開に向けて、メモリ使用量Ｑが所定の書き込み再開判定基準値Ｑthを下回ったか否かを判定するメモリ使用量判定手段、Ｅ７はメモリ使用量判定手段Ｅ６が下回り判定をしたときにデータ書き込み手段Ｅ１の動作を再開させる書き込み再開手段である。
【００２６】
次に、上記のように構成された本実施の形態の光ディスク再生装置の動作を図２のフローチャートに従って説明する。
【００２７】
まず、ステップＳ１において、データ書き込み手段Ｅ１は、光ピックアップ３によって読み出された光ディスク１に記録されているオーディオデータのメモリ１０への書き込みを開始する。
【００２８】
次いでステップＳ２において、メモリフル判別手段Ｅ２は、メモリ１０に対するデータ書き込みがメモリフルか否かを調べる。メモリフルでなく空き容量がある場合には、データの書き込みを継続する。空き容量がなくメモリフルになった場合は、ステップＳ３に進む。
【００２９】
ステップＳ３において、書き込み停止手段Ｅ３は、データ書き込み手段Ｅ１によるデータ書き込みを停止する。
【００３０】
次いでステップＳ４において、戻し移動量算出手段Ｅ４は、光ピックアップ３をどれだけ内周側に移動させるかの量である戻し移動量Ｄを計算する。最適な戻し移動量Ｄを算出する方式については後述する。
【００３１】
次いでステップＳ５において、光ピックアップ戻し移動手段Ｅ５は、最適な戻し移動量Ｄの分だけ光ピックアップ３を内周側に移動させる。この戻し移動は、データ書き込み停止の後は、１回のみに限られる。
【００３２】
そして、ステップＳ６において、メモリ使用量判定手段Ｅ６は、データ書き込みの停止中において、メモリ１０の現在のメモリ使用量Ｑをチェックし、データの書き込みを再開する許可するときのメモリ容量である書き込み再開判定基準値Ｑthを下回ったかどうかを確認する。現在のメモリ使用量Ｑが書き込み再開判定基準値Ｑthを下回ったときは、ステップＳ１に戻って、書き込み再開手段Ｅ７はデータ書き込み手段Ｅ１を再起動し、メモリ１０に対するデータ書き込みを再開する。
【００３３】
図３は、メモリ１０におけるデータ書き込み状態の遷移を示す。図３（ａ）でメモリフルになっている。メモリフル容量ＱF から書き込み再開判定基準値Ｑthまでの減少量がデータの書き込みが再開されるまでに消費されるべきメモリ容量ΔＱである。
【００３４】
データ書き込み停止中の期間においても、オーディオデータの継続的再生のためにデータ読み出しが行われ、メモリ使用量Ｑは次第に減少する。図３（ｂ）から図３（ｃ）のように減少し、現在のメモリ使用量Ｑが書き込み再開判定基準値Ｑthを下回ると、図２におけるステップＳ６の判断が肯定的となり、データ書き込みが再開される。
【００３５】
図４は、戻し移動量Ｄの算出の仕方を説明するものである。図４（ａ）は書き込み中断位置から光ピックアップ３を戻し移動する状態を示す。図４（ｂ）は戻し位置から光ピックアップ３が外周側に向けて所定の移動速度Ｖで移動する状態を示す。
【００３６】
ＣＤの場合、フレームを単位とする。光ピックアップ３の戻し移動量Ｄ（フレーム）は、書き込み再開までの中断時間をＴｓ(秒)、光ピックアップ戻し移動所要時間をＴｍ（秒）、光ピックアップ３の移動速度をＶ(フレーム/秒)として、
Ｄ＝（Ｔｓ−Ｔｍ）×Ｖ  ………………………………（１）
となる。
【００３７】
データ書き込み中断時間Ｔｓには、光ピックアップ戻し移動所要時間Ｔｍが含まれる。このデータ書き込み中断時間Ｔｓは、光ピックアップ３が書き込み中断位置から戻し位置に戻り、さらに反転して書き込み中断位置に戻ってくるまでの時間に等しくなる。光ピックアップ３が戻し位置から書き込み中断位置まで戻ってくるのに、（Ｔｓ−Ｔｍ）の時間がかかる。そして、結局、その距離がＤである。このＤの距離すなわち戻し移動量Ｄを移動速度Ｖで光ピックアップ３は移動する。よって、上式が成立する。
【００３８】
データ書き込み中断時間Ｔｓは、図３におけるデータの書き込み再開までに消費されるメモリ容量ΔＱ(ビット)と、オーディオデータのビットレートＲB (ビット／秒)に基づいて求めることができる。
【００３９】
Ｔｓ＝ΔＱ／ＲB   ………………………………………（２）
オーディオデータのビットレートは、ＣＤ−ＤＡとして記録されたオーディオデータの場合、１秒間に７５フレームの音声を再生する規格であり、１フレームが２３５２バイトであることから、ＲB ＝７５×２３５２×８＝１４１１２００（ビット/秒）と計算できる。
【００４０】
圧縮オーディオの場合は、各種ヘッダにビットレート情報が記載されているのでそれを用いればよい。例えば、図５に示すようにＭＰ３の場合には、１フレームごとにフレームヘッダが存在し、その中にビットレートが記載されている。また、圧縮オーディオには、フレームごとにビットレートが異なる可変ビットレートのストリームも存在する。可変ビットレートの場合は、メモリ１０内に書き込み済みのオーディオデータの平均ビットレートを計算し、その値を用いることにより、より精度の高いデータ書き込み中断時間Ｔｓを求めることが可能である。例えば、ＭＰ３の場合、図５のフレームヘッダから各フレームのビットレートを取得し、そのビットレートを足し合わせた値をフレーム数で割ることにより、平均ビットレートを計算することができる。
【００４１】
最終的に、式（１）、式（２）をまとめると、
Ｄ＝｛（ΔＱ／ＲB ）−Ｔｍ｝×Ｖ  …………………（３）
となる。
【００４２】
例えば、データ書き込み再開までに消費されるメモリ容量ΔＱを８１９２００（ビット）、オーディオデータのビットレートＲB を１２８０００（ビット/秒）、光ピックアップ戻し移動所要時間Ｔｍを０．２秒、光ピックアップ３の移動速度Ｖを７５（フレーム／秒）とすると、
Ｄ＝｛（８１９２００／１２８０００）−０．２｝×７５
＝４６５（フレーム）
となる。
【００４３】
式（３）においてビットレートＲB が大きくなればなるほど、光ピックアップ３の戻し移動量Ｄは小さくなる。すなわち、ＣＤ−ＤＡディスクとして記録されたオーディオデータやＭＰ３等の圧縮オーディオデータのうちビットレートが高いものに関しては、メモリ１０内に書き込まれたデータを消費する速度が速い。そのため、内周側への光ピックアップ３の戻し移動量Ｄを小さく設定すればよい。一方、圧縮オーディオデータのうちビットレートが低いものに関しては、メモリ１０内に書き込まれたデータを消費する速度が遅いため、光ピックアップ３の戻し移動量Ｄを大きく設定することになる。
【００４４】
光ピックアップ３の移動速度Ｖは、光ディスク１の回転速度によって決定される。ＣＤの場合、１倍速時は７５（フレーム／秒）、２倍速時は１５０（フレーム／秒）となる。
【００４５】
なお、Ｖは光ピックアップ３が通常動作時に内周側から外周側に向けて移動する速度であって、光ピックアップ３を戻し移動させるときの速度とは限らない。
【００４６】
ところで、仮に、データ書き込み中断時間Ｔｓよりも光ピックアップ戻し移動所要時間Ｔｍが大きくなってしまうような場合は、戻し移動にかかる時間の方が大きいことを意味する。そのような場合には、光ピックアップ３を内周側に戻し移動させる処理を実施しないようにする。
【００４７】
さらに、書き込み中断した位置から光ピックアップ３の戻し移動量Ｄの分だけ光ピックアップ３を移動させようとしたときに、移動先が最内周セッションのリードインエリアより内側になってしまうような場合には、移動先を最内周のリードインエリアに設定する。こうすることにより、内周側に移動させすぎてしまうことを回避することができる。
【００４８】
また、光ディスク１の外周付近を再生中は、計算誤差等によってデータ書き込み中断中に光ピックアップ３が最外周セッションのリードアウトエリアに達してしまうことも考えられる。そのような場合には、最外周セッションのリードアウトエリアにて光ピックアップ３をキープすることにより、光ピックアップ３がリードアウトエリアを越えて流れてしまうのを回避することができる。
【００４９】
なお、上記では、光ピックアップ３の通常動作時の移動方向を内周側から外周側に向かう方向としたが、これのみに限定する必要はなく、上記とは逆方向であってもよい。その場合、戻し移動の方向は、内周側から外周側に向かう方向となる。
【産業上の利用可能性】
【００５０】
本発明の光ディスク再生装置は、ＣＤ−ＤＡとして記録されたオーディオデータ、またＣＤ，ＤＶＤ等の光ディスクに記録されたＭＰ３等のオーディオ圧縮規格で圧縮されたオーディオデータの再生に特に有用である。また、オーディオデータだけでなく、映像データ等の再生にも応用できる。
【図面の簡単な説明】
【００５１】
【図１】本発明の実施の形態における光ディスク再生装置の構成を示すブロック図
【図２】本発明の実施の形態における光ディスク再生装置の動作を示すフローチャート
【図３】本発明の実施の形態におけるメモリ容量の内訳を表す図
【図４】本発明の実施の形態における光ピックアップの戻し移動量および書き込み再開後の移動を表す図
【図５】ＭＰ３のフレームヘッダを表す図
【図６】ＣＤ−ＤＡのフォーマットを表す図
【図７】ＣＤ−ＲＯＭのフォーマットを表す図
【図８】一般的な光ディスク再生装置の構成を示すブロック図で、本発明の実施の形態に適用される図
【符号の説明】
【００５２】
Ｅ１  データ書き込み手段
Ｅ２  メモリフル判別手段
Ｅ３  書き込み停止手段
Ｅ４  戻し移動量算出手段
Ｅ５  光ピックアップ戻し移動手段
Ｅ６  メモリ使用量判定手段
Ｅ７  書き込み再開手段
１  光ディスク
２  レンズ
３  光ピックアップ
４  ヘッドアンプ
５  サーボ＆信号処理ＬＳＩ
６  信号処理回路
７  ドライバ
８  スピンドルモータ
９  オーディオ出力部
１０  メモリ
１１  ＤＦ−ＤＡＣ回路
１２  デコーダ
１３  マイクロコントローラ
【図１】
2007200502.tif 000003
【図２】
2007200502.tif 000004
【図３】
2007200502.tif 000005
【図４】
2007200502.tif 000006
【図５】
2007200502.tif 000007
【図６】
2007200502.tif 000008
【図７】
2007200502.tif 000009
【図８】
2007200502.tif 000010